(57)【要約】【課題】設置後に一部の太陽電池モジュールへの日射状況が変化した場合にも対応できる、複数の太陽電池モジュールとＤＣ／ＤＣコンバータとを備えた系統連系インバータシステムを提供する。【解決手段】系統連系インバータシステムに複数の太陽電池モジュールの並列接続状態を切り替える接続装置を設け、コンバータ制御装置９に各太陽電池モジュールが他と並列接続されているか否かを判別する判別手段９１を設けた。そして、ＰＷＭ信号出力手段９２を、並列接続されている太陽電池モジュールに接続されたＤＣ／ＤＣコンバータには、並列接続されている太陽電池モジュールからなる太陽電池モジュール群に対応するＰＷＭ信号を出力し、いずれの太陽電池モジュールとも並列接続されていない太陽電池モジュールに接続されたＤＣ／ＤＣコンバータには、当該太陽電池モジュールに対応するＰＷＭ信号を出力するようにした。【選択図】図３
2010238010.tif 000002
【特許請求の範囲】
【請求項１】
複数の電源装置と、前記複数の電源装置の各出力端にそれぞれ接続された複数のＤＣ／ＤＣコンバータと、前記複数の電源装置と前記複数のＤＣ／ＤＣコンバータとの間に設けられ、前記複数の出力端が互いに接続されていない接続状態と前記複数の出力端のうち、少なくとも２つの出力端を接続する接続状態のいずれかの接続状態にする接続手段と、前記複数のＤＣ／ＤＣコンバータの全ての出力端に接続され、これらのＤＣ／ＤＣコンバータが出力する直流電力を交流電力に変換して系統に出力するインバータとを備えた系統連系インバータシステムに適用され、前記複数のＤＣ／ＤＣコンバータの駆動を制御するコンバータ制御装置であって、
いずれか２つの前記ＤＣ／ＤＣコンバータの入力電圧を比較することにより、これらに接続されている前記電源装置の出力端が互いに接続されているか否かを判別する判別手段と、
前記判別手段により前記出力端が互いに接続されていると判別された電源装置に接続された複数のＤＣ／ＤＣコンバータには、前記出力端が互いに接続された複数の電源装置からなる電源装置群の出力効率に基づいて生成されるＰＷＭ信号を出力し、前記判別手段により前記出力端が他の出力端のいずれにも接続されていないと判別された電源装置に接続されたＤＣ／ＤＣコンバータには、当該判別された電源装置の出力効率に基づいて生成されるＰＷＭ信号を出力するＰＷＭ信号出力手段と、
を備えることを特徴とするコンバータ制御装置。
【請求項２】
前記判別手段により前記複数の電源装置の全ての出力端が相互に接続されていると判別された場合に前記複数の電源装置は並列状態であると判定し、前記複数の電源装置の各出力端がいずれも他の出力端と接続されていないと判別された場合に前記複数の電源装置は独立状態であると判定する判定手段をさらに備え、
前記ＰＷＭ信号出力手段は、前記判定手段により前記並列状態と判定された場合には、並列接続された全ての電源装置からなる電源装置群の出力効率に基づいて生成されるＰＷＭ信号を全ての前記ＤＣ／ＤＣコンバータに出力し、前記判定手段により前記独立状態と判定された場合には、前記各電源装置の出力効率に基づいて生成されるＰＷＭ信号を当該電源装置に接続されたＤＣ／ＤＣコンバータにそれぞれ出力する、
請求項１に記載のコンバータ制御装置。
【請求項３】
前記ＰＷＭ信号出力手段は、前記複数のＤＣ／ＤＣコンバータのうち、前記複数の電源装置のいずれか１つが接続されているＤＣ／ＤＣコンバータには、その電源装置から出力される電力が最大となるように制御するためのＰＷＭ信号を出力し、前記複数のＤＣ／ＤＣコンバータのうち、前記出力端が相互に接続されている複数の電源装置が接続されている複数の前記ＤＣ／ＤＣコンバータには、それらの電源装置から出力される前記電源装置群としての電力が最大となるように制御するためのＰＷＭ信号を出力する、請求項１または２に記載のコンバータ制御装置。
【請求項４】
前記判別手段は、一方のＤＣ／ＤＣコンバータの入力電圧と他方のＤＣ／ＤＣコンバータの入力電圧との差が所定値以下の場合、当該一方のＤＣ／ＤＣコンバータに接続されている電源装置の出力端と他方のＤＣ／ＤＣコンバータに接続されている電源装置の出力端とは相互に接続されていると判別し、前記一方のＤＣ／ＤＣコンバータの入力電圧と他方のＤＣ／ＤＣコンバータの入力電圧との差が前記所定値より大きい場合、当該一方のＤＣ／ＤＣコンバータに接続されている電源装置の出力端と他方のＤＣ／ＤＣコンバータに接続されている電源装置の出力端とは相互に接続されていないと判別する、請求項１ないし３のいずれかに記載のコンバータ制御装置。
【請求項５】
複数の電源装置と、前記複数の電源装置の各出力端にそれぞれ接続された複数のＤＣ／ＤＣコンバータと、前記複数の電源装置と前記複数のＤＣ／ＤＣコンバータとの間に設けられ、前記複数の出力端が互いに接続されていない接続状態と前記複数の出力端のうち、少なくとも２つの出力端を接続する接続状態のいずれかの接続状態にする接続手段と、前記複数のＤＣ／ＤＣコンバータの駆動を制御するコンバータ制御手段と、前記複数のＤＣ／ＤＣコンバータの全ての出力端に接続され、これらのＤＣ／ＤＣコンバータが出力する直流電力を交流電力に変換して系統に出力するインバータと、を備えた系統連系インバータシステムであって、
前記コンバータ制御手段は、
いずれか２つの前記ＤＣ／ＤＣコンバータの入力電圧を比較することにより、これらに接続されている前記電源装置の出力端が互いに接続されているか否かを判別する判別手段と、
前記判別手段により前記出力端が互いに接続されていると判別された電源装置に接続された複数のＤＣ／ＤＣコンバータには、前記出力端が互いに接続された複数の電源装置からなる電源装置群の出力効率に基づいて生成されるＰＷＭ信号を出力し、前記判別手段により前記出力端が他の出力端のいずれにも接続されていないと判別された電源装置に接続されたＤＣ／ＤＣコンバータには、当該判別された電源装置の出力効率に基づいて生成されるＰＷＭ信号を出力するＰＷＭ信号出力手段と、
を備えることを特徴とする系統連系インバータシステム。
【発明の詳細な説明】
【技術分野】
【０００１】
本発明は、複数の電源装置にそれぞれ接続された各ＤＣ／ＤＣコンバータを制御するコンバータ制御装置、およびこのコンバータ制御装置を用いた系統連系インバータシステムに関する。
【背景技術】
【０００２】
従来、太陽電池などの直流電源から出力される直流電力を交流電力に変換して商用電力系統に供給する系統連系インバータシステムが開発されている。複数の太陽電池を直列接続した太陽電池モジュールを直流電源とした系統連系インバータシステムにおいて、太陽電池モジュールとインバータとの間にＤＣ／ＤＣコンバータを設けて、太陽電池モジュールの出力電力が最大となるように太陽電池モジュールの出力電圧を制御するものが開発されている。
【０００３】
図８は、太陽電池モジュールを３つ設けた系統連系インバータシステムを示す図である。同図においては、系統連系インバータシステム１０が商用電力系統６０に連系している状態を示している。この場合、インバータ５０は、出力電圧が商用電力系統６０の系統電圧と一致するように、ＤＣ／ＤＣコンバータ４１０，４２０，４３０とインバータ５０との間の電圧Ｖｄ（以下、必要に応じて「バス電圧Ｖｄ」という。）を一定とする制御を行っている。系統連系インバータシステム１０は、３つの太陽電池モジュール２１０，２２０，２３０と、これらにそれぞれ接続されているＤＣ／ＤＣコンバータ４１０，４２０，４３０を有している。バス電圧Ｖｄが一定とされているので、ＤＣ／ＤＣコンバータ４１０，４２０，４３０は、それぞれ太陽電池モジュール２１０，２２０，２３０の出力電圧Ｖ１，Ｖ２，Ｖ３を任意の電圧に制御することができる。
【０００４】
制御装置９０は、電流センサ７１０が検出する太陽電池モジュール２１０の出力電流Ｉ１と電圧センサ８１０が検出する太陽電池モジュール２１０の出力電圧Ｖ１とから、太陽電池モジュール２１０の出力電力ＰＷ１（＝Ｖ１×Ｉ１）を算出し、この出力電力ＰＷ１が最大となるようにＤＣ／ＤＣコンバータ４１０に制御を行わせる。これにより、太陽電池モジュール２１０は、出力電力ＰＷ１が最大となるように制御される。同様に、太陽電池モジュール２２０，２３０も、それぞれＤＣ／ＤＣコンバータ４２０，４３０により、出力電力ＰＷ２（＝Ｖ２×Ｉ２）、ＰＷ３（＝Ｖ３×Ｉ３）が最大となるように制御される。このように、太陽電池モジュール２１０，２２０，２３０の出力電力ＰＷ１，ＰＷ２，ＰＷ３がそれぞれ独立に最大電力に制御されるので、系統連系インバータシステム１０は効率よく電力供給を行うことができる。
【先行技術文献】
【特許文献】
【０００５】
【特許文献１】特開平１１−３１８０４２号公報
【発明の概要】
【発明が解決しようとする課題】
【０００６】
しかしながら、太陽電池モジュール２１０，２２０，２３０を設置した後、日射状況の変化などにより、いずれかの太陽電池モジュール２１０，２２０，２３０の出力電力ＰＷ１，ＰＷ２，ＰＷ３が極端に減少した場合などに問題が生じる。例えば、家の屋根に太陽電池モジュール２１０，２２０，２３０を設置した後、近くにマンションが建設されたことにより、太陽電池モジュール２１０および２２０への日射が減少して出力電力ＰＷ１，ＰＷ２が極端に減少した場合には、太陽電池モジュール２１０および２２０の出力電圧Ｖ１，Ｖ２がインバータ５０の入力電圧仕様に満たない状態となる場合がある。また、太陽電池設置後に一部のモジュールのみを他社製のものや同社製でも性能の異なるものに変えたいという要望があった場合、性能面の相違から同じメーカーあるいは性能のもので一括にする必要がある。
【０００７】
本発明は上記した事情のもとで考え出されたものであって、太陽電池モジュール設置後に一部の太陽電池モジュールへの日射状況が変化した場合や、一部を性能の異なる太陽電池モジュールで構成したモジュール群に変更する場合にも対応できる、複数の太陽電池モジュールとＤＣ／ＤＣコンバータとを備えた系統連系インバータシステムを提供することをその目的としている。
【課題を解決するための手段】
【０００８】
上記課題を解決するため、本発明では、次の技術的手段を講じている。
【０００９】
本発明の第１の側面によって提供されるコンバータ制御装置は、複数の電源装置と、前記各電源装置にそれぞれ接続されたＤＣ／ＤＣコンバータとを備えた系統連系インバータシステムにおいて、前記複数のＤＣ／ＤＣコンバータを制御するためのコンバータ制御装置であって、いずれか２つの前記ＤＣ／ＤＣコンバータの入力電圧を比較することにより、これらに接続されている前記電源装置が並列接続されているか否かを判別する判別手段と、前記判別手段によりいずれかの前記電源装置と並列接続されていると判別された電源装置に接続されたＤＣ／ＤＣコンバータには、当該判別された電源装置とこれに並列接続された電源装置からなる電源装置群に対応するＰＷＭ信号を出力し、前記判別手段によりいずれの前記電源装置とも並列接続されていないと判別された電源装置に接続されたＤＣ／ＤＣコンバータには、当該判別された電源装置に対応するＰＷＭ信号を出力するＰＷＭ信号出力手段と、を備えることを特徴とする。
【００１０】
この構成によると、並列接続されている電源装置からなる電源装置群に対応するＰＷＭ信号が、これらの電源装置に接続されているＤＣ／ＤＣコンバータに入力され、他の電源装置と並列接続されていない電源装置に対応するＰＷＭ信号が当該電源装置に接続されているＤＣ／ＤＣコンバータに入力される。したがって、各電源装置の並列接続の状態に合わせて、ＰＷＭ信号の生成方法の切り替えを行なう必要が無い。並列接続されているか否かの判別に、もともとＰＷＭ信号を生成するために入力されているＤＣ／ＤＣコンバータの入力電圧を利用するので、従来のコンバータ制御装置のハード構成を変更することなく用いることができる。
【００１１】
本発明の好ましい実施の形態においては、前記判別手段により全ての前記電源装置が並列接続されていると判別された場合に並列状態であると判定し、いずれの前記電源装置も並列接続されていないと判別された場合に独立状態であると判定する判定手段をさらに備え、前記ＰＷＭ信号出力手段は、前記判定手段により前記並列状態と判定された場合には、並列接続された全ての電源装置からなる電源装置群に対応するＰＷＭ信号を全ての前記ＤＣ／ＤＣコンバータに出力し、前記判定手段により前記独立状態と判定された場合には、前記各電源装置に対応するＰＷＭ信号を当該電源装置に接続されたＤＣ／ＤＣコンバータにそれぞれ出力する。
【００１２】
本発明の好ましい実施の形態においては、前記ＰＷＭ信号出力手段は、前記各電源装置または前記各電源装置群の出力電力がそれぞれ最大となるように制御するためのＰＷＭ信号を出力する。
【００１３】
この構成によると、各電源装置または各電源装置群の出力電力がそれぞれ最大となるように制御されるので、系統連系インバータシステムは効率よく電力を供給することができる。
【００１４】
本発明の好ましい実施の形態においては、前記判別手段は、一方のＤＣ／ＤＣコンバータの入力電圧と他方のＤＣ／ＤＣコンバータの入力電圧との差が所定値以下の場合、当該一方のＤＣ／ＤＣコンバータに接続されている電源装置と他方のＤＣ／ＤＣコンバータに接続されている電源装置とは並列接続されていると判別し、前記一方のＤＣ／ＤＣコンバータの入力電圧と他方のＤＣ／ＤＣコンバータの入力電圧との差が前記所定値より大きい場合、当該一方のＤＣ／ＤＣコンバータに接続されている電源装置と他方のＤＣ／ＤＣコンバータに接続されている電源装置とは並列接続されていないと判別する。
【００１５】
本発明の第２の側面によって提供される系統連系インバータシステムは、複数の太陽電池モジュールと、前記各太陽電池モジュールの並列接続の状態を切り替える接続装置と、前記各太陽電池にそれぞれ接続されたＤＣ／ＤＣコンバータと、請求項１ないし４のいずれかに記載のコンバータ制御装置と、前記複数のＤＣ／ＤＣコンバータが出力する直流電力を交流電力に変換するインバータとを備えている。
【００１６】
この構成によると、前記接続装置により、前記各太陽電池モジュールの並列接続の状態を切り替えることができる。したがって、前記各太陽電池モジュールを設置した後に一部の太陽電池モジュールへの日射状況が変化した場合や、一部を性能の異なる太陽電池モジュールで構成したモジュール群に変更する場合でも、並列接続の状態を切り替えることにより対応することができる。また、前記接続装置の切り替えに合わせて、ＰＷＭ信号の生成方法を切り替える必要が無い。
【００１７】
本発明のその他の特徴および利点は、添付図面を参照して以下に行う詳細な説明によって、より明らかとなろう。
【図面の簡単な説明】
【００１８】
【図１】本発明に係るコンバータ制御装置の第１実施形態を備えた系統連系インバータシステムを示すブロック図である。
【図２】第１実施形態における接続装置の構成の一例である。
【図３】第１実施形態における制御装置の構成を示すブロック図である。
【図４】第１実施形態における、接続装置の状態の判定方法を説明するためのフローチャートである。
【図５】第２実施形態における接続装置の構成の一例である。
【図６】第２実施形態における、接続装置の状態の判定方法を説明するためのフローチャートである。
【図７】第２実施形態における、他の判定方法を説明するためのフローチャートである。
【図８】従来の系統連系インバータシステムを示すブロック図である。
【発明を実施するための形態】
【００１９】
以下、本発明の実施の形態を、図面を参照して具体的に説明する。
【００２０】
図１は、本発明に係るコンバータ制御装置の第１実施形態を備えた系統連系インバータシステムを示すブロック図である。系統連系インバータシステム１は、太陽電池モジュール２１，２２，２３が出力する直流電力をインバータ５で交流電力に変換して商用電力系統６に出力するものである。同図に示すように、系統連系インバータシステム１は、太陽電池モジュール２１，２２，２３、接続装置３、ＤＣ／ＤＣコンバータ４１，４２，４３、インバータ５、商用電力系統６、電流センサ７１，７２，７３、電圧センサ８１，８２，８３、および制御装置９を備えている。太陽電池モジュール２１，２２，２３はそれぞれＤＣ／ＤＣコンバータ４１，４２，４３に接続され、ＤＣ／ＤＣコンバータ４１，４２，４３はインバータ５に接続され、インバータ５は商用電力系統６に接続されている。
【００２１】
太陽電池モジュール２１，２２，２３は、それぞれ複数の太陽電池を直列接続したものであり、太陽電池が太陽光エネルギーを電気エネルギーに変換して生成した直流電力を出力する。一般的に、太陽電池モジュールは、直列接続された太陽電池の数と、当該太陽電池が受ける日射強度により異なる電力を出力する。したがって、面積の広い場所に設置される場合は、太陽電池の直列数を多くすることができるので、大きな電力を出力することができる。また、日射条件のいい場所に設置された場合も、大きな電力を出力することができる。太陽電池モジュール２１，２２，２３は、それぞれ設置される場所によって太陽電池の直列数が異なり、日射条件も異なるので、出力する電力は異なるものとなる。
【００２２】
接続装置３は、太陽電池モジュール２１，２２，２３とＤＣ／ＤＣコンバータ４１，４２，４３とをそれぞれ接続する３つの接続線にまたがって設けられており、３つの接続線が互いに接続された状態と、接続されない独立した状態とに切り替えるものである。３つの接続線が互いに接続された状態のとき、太陽電池モジュール２１，２２，２３は並列接続された状態となる。以下では、この状態を「並列状態」という。また、３つの接続線が独立した状態を「独立状態」という。
【００２３】
接続装置３は、太陽電池モジュール２１，２２，２３を設置するときに、並列状態にするか独立状態にするかが決定されて設定される。各太陽電池モジュール２１，２２，２３がそれぞれ適切な電力を出力することができ、それぞれ独立して制御することにより効率よく電力供給を行うことができる場合には、接続装置３は独立状態となるように設定される。一方、各太陽電池モジュール２１，２２，２３のいずれかが単独では十分な電力を出力することができない場合には、接続装置３は並列状態となるように設定される。接続装置３を独立状態に設定して太陽電池モジュール２１，２２，２３を設置した後に、日射状況が悪くなって各太陽電池モジュール２１，２２，２３が単独では十分な電力を出力することができなくなった場合には、使用者は接続装置３を並列状態に切り替えることができる。逆に、接続装置３を並列状態に設定して太陽電池モジュール２１，２２，２３を設置した後に、日射状況が良くなって各太陽電池モジュール２１，２２，２３が適切な電力を出力することができるようになった場合には、使用者は接続装置３を独立状態に切り替えることができる。また、一部を性能の異なる太陽電池モジュールで構成したモジュール群に変更する場合も独立状態に切り替えることができる。
【００２４】
図２は、接続装置３の構成の一例であり、２つのスイッチ３１，３２で構成されたものである。スイッチ３１および３２は連動してオンとオフが切り替えられる機械式のスイッチであるが、オンのときには３つの接続線が接続された並列状態となり、オフのときには３つの接続線が独立した独立状態となる。なお、接続装置３の構成はこれに限られない。例えば、機械式のスイッチ３１，３２に代えて電子スイッチ、例えばトランジスタを設け、当該トランジスタのベース電圧を切り替えることにより、並列状態と独立状態とを切り替えるようにしてもよい。
【００２５】
ＤＣ/ＤＣコンバータ４１，４２，４３は、それぞれ太陽電池モジュール２１，２２，２３に接続されており、各太陽電池モジュール２１，２２，２３から入力される直流電圧の電圧値Ｖ１，Ｖ２，Ｖ３をそれぞれ他の電圧値に変換するものである。ＤＣ/ＤＣコンバータ４１，４２，４３は、制御装置９から入力されるＰＷＭ信号に応じて、図示しないスイッチング素子をオン・オフ動作させることにより、入力される直流電圧を昇圧または降圧する。ＤＣ/ＤＣコンバータ４１，４２，４３は、昇圧または降圧されたバス電圧Ｖｄをインバータ５に供給する。系統連系インバータシステム１が商用電力系統６に連系している状態では、バス電圧Ｖｄが一定となるようにインバータ５により制御されているので、ＤＣ/ＤＣコンバータ４１，４２，４３は、それぞれ入力電圧、すなわち、太陽電池モジュール２１，２２，２３からそれぞれ出力される電圧を制御することができる。
【００２６】
インバータ５は、図示しないスイッチング素子をオン・オフ動作させることで、ＤＣ/ＤＣコンバータ４１，４２，４３から入力される直流電力を交流電力に変換する。インバータ５は、図示しないローパスフィルタによりスイッチングノイズが除去された交流電力を商用電力系統６に出力する。なお、図１においては、インバータ５の電力変換動作を制御する制御装置を省略している。系統連系インバータシステム１が商用電力系統６に連系している状態では、インバータ５は、バス電圧Ｖｄを一定とする制御を行っている。
【００２７】
電流センサ７１，７２，７３は、それぞれＤＣ/ＤＣコンバータ４１，４２，４３の入力側に直列に接続されており、それぞれＤＣ/ＤＣコンバータ４１，４２，４３に入力される電流を検出するものである。独立状態においては、各太陽電池モジュール２１，２２，２３はそれぞれＤＣ/ＤＣコンバータ４１，４２，４３とのみ接続されているので、電流センサ７１，７２，７３が検出する電流は、それぞれ太陽電池モジュール２１，２２，２３の出力電流となる。並列状態においては、電流センサ７１，７２，７３が検出する電流は、太陽電池モジュール２１，２２，２３が並列接続された太陽電池モジュール群の出力電流のうち、それぞれＤＣ/ＤＣコンバータ４１，４２，４３に入力される電流となる。電流センサ７１，７２，７３は、それぞれ検出した電流の電流値Ｉ１，Ｉ２，Ｉ３を制御装置９に出力する。
【００２８】
電圧センサ８１，８２，８３は、それぞれＤＣ/ＤＣコンバータ４１，４２，４３の入力側に接続されており、それぞれＤＣ/ＤＣコンバータ４１，４２，４３の入力側の電圧を検出するものである。独立状態においては、各太陽電池モジュール２１，２２，２３はそれぞれＤＣ/ＤＣコンバータ４１，４２，４３とのみ接続されているので、電圧センサ８１，８２，８３が検出する電圧は、それぞれ太陽電池モジュール２１，２２，２３の出力電圧となる。並列状態においては、電圧センサ８１，８２，８３が検出する電圧は、太陽電池モジュール２１，２２，２３が並列接続された太陽電池モジュール群の出力電圧となる。電圧センサ８１，８２，８３は、それぞれ検出した電圧の電圧値Ｖ１，Ｖ２，Ｖ３を制御装置９に出力する。
【００２９】
制御装置９は、ＤＣ/ＤＣコンバータ４１，４２，４３を制御するものである。制御装置９は、電流センサ７１，７２，７３からそれぞれ入力される電流値Ｉ１，Ｉ２，Ｉ３と電圧センサ８１，８２，８３からそれぞれ入力される電圧値Ｖ１，Ｖ２，Ｖ３とからＰＷＭ信号を生成し、当該ＰＷＭ信号をＤＣ/ＤＣコンバータ４１，４２，４３に出力することにより制御する。
【００３０】
図３は、制御装置９の構成を示すブロック図である。制御装置９は、電圧比較部９１およびＰＷＭ信号生成部９２を備えている。
【００３１】
電圧比較部９１は、電圧センサ８１，８２，８３からそれぞれ入力される電圧値Ｖ１，Ｖ２，Ｖ３を互いに比較して、接続装置３が並列状態であるか独立状態であるかを判定するものである。電圧比較部９１は、判定結果を信号としてＰＷＭ信号生成部に出力する。本実施形態では、接続装置３が並列状態である場合にはＤＣ/ＤＣコンバータ４１，４２，４３の入力側の電圧が等しくなり、接続装置３が独立状態である場合にはＤＣ/ＤＣコンバータ４１，４２，４３の入力側の電圧が異なることを利用して、接続装置３の状態を判定している。
【００３２】
図４は、電圧比較部９１で行なわれる、接続装置３が並列状態であるか独立状態であるかの判定方法を説明するためのフローチャートである。当該判定は、電圧値Ｖ１，Ｖ２，Ｖ３が入力されるたびに行うようにしてもよいし、毎日所定の時間に行うようにしてもよい。接続状態の変更にすぐに対応できるようにするためには、判定の間隔を短くすればよい。判定のための処理による負担を軽減するためには、判定の間隔を長くすればよい。
【００３３】
まず、電圧値Ｖ１，Ｖ２，Ｖ３が入力される（Ｓ１）。電圧値Ｖ１と電圧値Ｖ２との差が所定の電圧値ΔＶ以下であるか否かが判別される（Ｓ２）。所定の電圧値ΔＶは、電圧センサ８１，８２，８３の測定誤差を排除するために予め設定された値であり、２つの電圧値の差がこの値以下であれば、両者が同電圧であると判断できるように設定されたものである。所定の電圧値ΔＶを過小な値に設定すると、同電圧であっても電圧センサの測定
誤差により同電圧でないと判別され、過大な値に設定すると、同電圧でない場合であっても同電圧であると判別されるので、実験により適切な値を設定すべきである。
【００３４】
電圧値Ｖ１と電圧値Ｖ２との差が所定の電圧値ΔＶ以下である場合（Ｓ２：ＹＥＳ）、すなわち、電圧値Ｖ１と電圧値Ｖ２とが同電圧であると判断される場合、電圧値Ｖ２と電圧値Ｖ３との差が所定の電圧値ΔＶ以下であるか否かが判別される（Ｓ３）。並列状態であっても、電圧値Ｖ１と電圧値Ｖ２とが偶然同電圧となる可能性もある。したがって、電圧値Ｖ２と電圧値Ｖ３の比較を行っている。
【００３５】
電圧値Ｖ２と電圧値Ｖ３との差が所定の電圧値ΔＶ以下である場合（Ｓ３：ＹＥＳ）、すなわち、電圧値Ｖ２と電圧値Ｖ３とが同電圧であると判断される場合、電圧値Ｖ３と電圧値Ｖ１との差が所定の電圧値ΔＶ以下であるか否かが判別される（Ｓ４）。電圧値Ｖ１と電圧値Ｖ２とが同電圧であり、電圧値Ｖ２と電圧値Ｖ３とが同電圧である場合、通常は電圧値Ｖ１、Ｖ２、Ｖ３とも同電圧であると考えられる。しかし、例えば、Ｖ２＝Ｖ１＋
ΔＶ、Ｖ３＝Ｖ２＋ΔＶの場合、Ｖ３＝Ｖ１＋２ΔＶとなり、電圧値Ｖ３と電圧値Ｖ１と
が同電圧でない可能性もある。したがって、念のために、電圧値Ｖ３と電圧値Ｖ１の比較も行っている。
【００３６】
電圧値Ｖ３と電圧値Ｖ１との差が所定の電圧値ΔＶ以下である場合（Ｓ４：ＹＥＳ）、すなわち、電圧値Ｖ３と電圧値Ｖ１とが同電圧であると判断される場合、並列状態であると判定され、並列状態である旨の信号がＰＷＭ信号生成部に出力される（Ｓ５）。
【００３７】
電圧値Ｖ１と電圧値Ｖ２との差が所定の電圧値ΔＶ以下でない場合（Ｓ２：ＮＯ）、電圧値Ｖ２と電圧値Ｖ３との差が所定の電圧値ΔＶ以下でない場合（Ｓ３：ＮＯ）、または、電圧値Ｖ３と電圧値Ｖ１との差が所定の電圧値ΔＶ以下でない場合（Ｓ４：ＮＯ）、独立状態であると判定され、独立状態である旨の信号がＰＷＭ信号生成部９２に出力される（Ｓ６）。
【００３８】
なお、ステップＳ３で電圧値Ｖ２と電圧値Ｖ３との差が所定の電圧値ΔＶ以下である場合に独立状態であると判定して、ステップＳ４を省略してステップＳ５に進むようにしてもよい。また、ステップＳ２で電圧値Ｖ１と電圧値Ｖ２との差が所定の電圧値ΔＶ以下である場合に独立状態であると判定して、ステップＳ３およびＳ４を省略してステップＳ５に進むようにしてもよい。
【００３９】
なお、電圧値Ｖ１，Ｖ２，Ｖ３の比較方法はこれに限られず、他の方法で比較して並列状態であるか独立状態であるかを判定してもよい。例えば、電圧値Ｖ１，Ｖ２，Ｖ３の平均値Ｖ’を算出して、各電圧値Ｖ１，Ｖ２，Ｖ３とＶ’との差がすべて所定の値以下の場
合に並列状態であると判定するようにしてもよい。
【００４０】
図３に戻って、ＰＷＭ信号生成部９２は、電圧センサ８１，８２，８３からそれぞれ入力される電圧値Ｖ１，Ｖ２，Ｖ３、電流センサ７１，７２，７３からそれぞれ入力される電流値Ｉ１，Ｉ２，Ｉ３、および、電圧比較部９１から入力される判定信号に基づいて、ＰＷＭ信号Ｐ１，Ｐ２，Ｐ３を生成する。
【００４１】
判定信号が独立状態を示す信号である場合、ＰＷＭ信号生成部９２は、ＤＣ/ＤＣコンバータ４１，４２，４３に入力するＰＷＭ信号をそれぞれ別に生成する。すなわち、電圧センサ８１より入力される電圧値Ｖ１および電流センサ７１より入力される電流値Ｉ１から太陽電池モジュール２１の出力電力値ＰＷ１（＝Ｖ１×Ｉ１）を算出し、当該出力電力値ＰＷ１を最大とするように制御するためのＰＷＭ信号Ｐ１を生成する。出力電力値を最大とするための制御は、いわゆる最大電力追従制御として公知であるので、説明を省略する。同様に、電圧センサ８２より入力される電圧値Ｖ２および電流センサ７２より入力される電流値Ｉ２から算出された太陽電池モジュール２２の出力電力値ＰＷ２（＝Ｖ２×Ｉ２）を最大とするように制御するためのＰＷＭ信号Ｐ２を生成し、電圧センサ８３より入力される電圧値Ｖ３および電流センサ７３より入力される電流値Ｉ３からから算出された太陽電池モジュール２３の出力電力値ＰＷ３（＝Ｖ３×Ｉ３）を最大とするように制御するためのＰＷＭ信号Ｐ３を生成する。
【００４２】
判定信号が並列状態を示す信号である場合、ＰＷＭ信号生成部９２は、ＤＣ/ＤＣコンバータ４１，４２，４３に出力する共通のＰＷＭ信号を生成する。すなわち、太陽電池モジュール２１，２２，２３が並列接続された太陽電池モジュール群の出力電力値ＰＷｓを最大とするように制御するためのＰＷＭ信号Ｐを生成する。当該太陽電池モジュール群の出力電力値ＰＷｓは、電圧センサ８１より入力される電圧値Ｖ１および電流センサ７１，７２，７３より入力される電流値Ｉ１，Ｉ２，Ｉ３の合計電流値Ｉ（＝Ｉ１＋Ｉ２＋Ｉ３）から算出される。ＰＷＭ信号生成部９２は、ＰＷＭ信号ＰをＰＷＭ信号Ｐ１，Ｐ２，Ｐ３として、それぞれＤＣ/ＤＣコンバータ４１，４２，４３に出力する。
【００４３】
次に、系統連系インバータシステム１の作用について説明する。
【００４４】
本実施形態においては、接続装置３によって、太陽電池モジュール２１，２２，２３を並列状態と独立状態との間で容易に切り替えることができる。したがって、太陽電池モジュール２１，２２，２３を設置した後に一部の太陽電池モジュールへの日射状況が変化した場合や、一部を性能の異なる太陽電池モジュールで構成したモジュール群に変更する場合でも、並列状態と独立状態を切り替えることにより対応することができる。
【００４５】
また、本実施形態においては、制御装置９が電圧センサ８１，８２，８３から入力される電圧値Ｖ１，Ｖ２，Ｖ３に基づいて太陽電池モジュール２１，２２，２３の接続状態を判定し、対応したＰＷＭ信号を生成して出力する。したがって、接続装置３を切り替えたときにＰＷＭ信号の生成方法を切り替える必要が無い。もともとＰＷＭ信号を生成するために入力されている各ＤＣ／ＤＣコンバータ４１，４２，４３の入力電圧を利用して、演算処理のみで接続状態を判定するので、従来の制御装置のハード構成を変更することなく用いることができる。
【００４６】
上記第１実施形態では、接続装置３が、太陽電池モジュール２１，２２，２３が全て並列接続された並列状態と、太陽電池モジュール２１，２２，２３のいずれも並列接続されていない独立状態とを切り替える場合について説明した。接続装置３が、太陽電池モジュール２１，２２，２３のうちのいずれか２つのみを並列接続させることができる場合の第２実施形態について、以下に説明する。
【００４７】
本発明に係るコンバータ制御装置の第２実施形態を備えた系統連系インバータシステムのブロック図は、図１と同様となる。本実施形態においては、接続装置３の構成と制御装置９が行う制御が第１実施形態と異なる。
【００４８】
図５は、本実施形態における接続装置３’の構成の一例であり、３つのスイッチ３１’，３２’，３３’で構成されたものである。スイッチ３１’，３２’，３３’はそれぞれ個別にオンとオフを切り替えることができる。スイッチ３１’のみがオンの場合、太陽電池モジュール２１と太陽電池モジュール２２とが並列接続され、太陽電池モジュール２３が単独状態となる。スイッチ３２’のみがオンの場合、太陽電池モジュール２２と太陽電池モジュール２３とが並列接続され、太陽電池モジュール２１が単独状態となる。スイッチ３３’のみがオンの場合、太陽電池モジュール２１と太陽電池モジュール２３とが並列接続され、太陽電池モジュール２２が単独状態となる。スイッチ３１’，３２’，３３’のうちいずれか２つ以上がオンの場合、太陽電池モジュール２１，２２，２３は並列状態となり、スイッチ３１’，３２’，３３’のすべてがオフの場合、独立状態となる。なお、接続装置３の構成はこれに限られない。例えば、スイッチ３１’，３２’，３３’に代えてトランジスタを設け、当該トランジスタのベース電圧を切り替えることにより、それぞれオンとオフとを切り替えるようにしてもよい。
【００４９】
本実施形態における制御装置９のブロック図は、図３と同様となるので省略する。しかし、制御装置９が行う制御は、第１実施形態のものと異なる。電圧比較部９１は、電圧センサ８１，８２，８３からそれぞれ入力される電圧値Ｖ１，Ｖ２，Ｖ３を互いに比較して、接続装置３’の接続状態を判定する。
【００５０】
図６は、電圧比較部９１で行なわれる、接続装置３’の接続状態の判定方法を説明するためのフローチャートである。当該判定のタイミングも、適宜設定すればよい。
【００５１】
まず、電圧値Ｖ１，Ｖ２，Ｖ３が入力される（Ｓ１１）。電圧値Ｖ１と電圧値Ｖ２との差が所定の電圧値ΔＶ以下であるか否かが判別される（Ｓ１２）。所定の電圧値ΔＶは、電圧センサ８１，８２，８３の測定誤差より予め設定された値であり、実験により適切な値が設定される。
【００５２】
電圧値Ｖ１と電圧値Ｖ２との差が所定の電圧値ΔＶ以下である場合（Ｓ１２：ＹＥＳ）、電圧値Ｖ２と電圧値Ｖ３との差が所定の電圧値ΔＶ以下であるか否かが判別される（Ｓ１３）。電圧値Ｖ２と電圧値Ｖ３との差が所定の電圧値ΔＶ以下である場合（Ｓ１３：ＹＥＳ）、電圧値Ｖ３と電圧値Ｖ１との差が所定の電圧値ΔＶ以下であるか否かが判別される（Ｓ１４）。電圧値Ｖ３と電圧値Ｖ１との差が所定の電圧値ΔＶ以下である場合（Ｓ１４：ＹＥＳ）、全ての電圧値が同一なので、並列状態であると判定され、並列状態である旨の信号がＰＷＭ信号生成部９２に出力される（Ｓ１５）。
【００５３】
ステップＳ１４において、電圧値Ｖ３と電圧値Ｖ１との差が所定の電圧値ΔＶ以下でない場合（Ｓ１４：ＮＯ）、ステップＳ１１に戻る。すなわち、電圧値Ｖ１と電圧値Ｖ２とが同電圧であり、電圧値Ｖ２と電圧値Ｖ３とが同電圧であるが、電圧値Ｖ３と電圧値Ｖ１とが異なる場合、検出された電圧値が疑わしいので、再度電圧値Ｖ１，Ｖ２，Ｖ３を入力して判定処理を行う。
【００５４】
ステップＳ１３において、電圧値Ｖ２と電圧値Ｖ３との差が所定の電圧値ΔＶ以下でない場合（Ｓ１３：ＮＯ）、電圧値Ｖ３と電圧値Ｖ１との差が所定の電圧値ΔＶ以下であるか否かが判別される（Ｓ１６）。電圧値Ｖ３と電圧値Ｖ１との差が所定の電圧値ΔＶ以下である場合（Ｓ１６：ＹＥＳ）、ステップＳ１１に戻る。すなわち、電圧値Ｖ１と電圧値Ｖ２とが同電圧であり、電圧値Ｖ３と電圧値Ｖ１とが同電圧であるが、電圧値Ｖ２と電圧値Ｖ３とが異なる場合、検出された電圧値が疑わしいので、再度電圧値Ｖ１，Ｖ２，Ｖ３を入力して判定処理を行う。電圧値Ｖ３と電圧値Ｖ１との差が所定の電圧値ΔＶ以下でない場合（Ｓ１６：ＮＯ）、スイッチ３１’のみがオンとなり、太陽電池モジュール２１と太陽電池モジュール２２とが並列接続された状態である旨の信号がＰＷＭ信号生成部９２に出力される（Ｓ１７）。
【００５５】
ステップＳ１２において、電圧値Ｖ１と電圧値Ｖ２との差が所定の電圧値ΔＶ以下でない場合（Ｓ１２：ＮＯ）、電圧値Ｖ２と電圧値Ｖ３との差が所定の電圧値ΔＶ以下であるか否かが判別される（Ｓ１８）。電圧値Ｖ２と電圧値Ｖ３との差が所定の電圧値ΔＶ以下である場合（Ｓ１８：ＹＥＳ）、電圧値Ｖ３と電圧値Ｖ１との差が所定の電圧値ΔＶ以下であるか否かが判別される（Ｓ１９）。電圧値Ｖ３と電圧値Ｖ１との差が所定の電圧値ΔＶ以下である場合（Ｓ１９：ＹＥＳ）、ステップＳ１１に戻る。すなわち、電圧値Ｖ２と電圧値Ｖ３とが同電圧であり、電圧値Ｖ３と電圧値Ｖ１とが同電圧であるが、電圧値Ｖ１と電圧値Ｖ２とが異なる場合、検出された電圧値が疑わしいので、再度電圧値Ｖ１，Ｖ２，Ｖ３を入力して判定処理を行う。電圧値Ｖ３と電圧値Ｖ１との差が所定の電圧値ΔＶ以下でない場合（Ｓ１９：ＮＯ）、スイッチ３２’のみがオンとなり、太陽電池モジュール２２と太陽電池モジュール２３とが並列接続された状態である旨の信号がＰＷＭ信号生成部９２に出力される（Ｓ２０）。
【００５６】
ステップＳ１８において、電圧値Ｖ２と電圧値Ｖ３との差が所定の電圧値ΔＶ以下でない場合（Ｓ１８：ＮＯ）、電圧値Ｖ３と電圧値Ｖ１との差が所定の電圧値ΔＶ以下であるか否かが判別される（Ｓ２１）。電圧値Ｖ３と電圧値Ｖ１との差が所定の電圧値ΔＶ以下である場合（Ｓ２１：ＹＥＳ）、スイッチ３３’のみがオンとなり、太陽電池モジュール２３と太陽電池モジュール２１とが並列接続された状態である旨の信号がＰＷＭ信号生成部９２に出力される（Ｓ２２）。電圧値Ｖ３と電圧値Ｖ１との差が所定の電圧値ΔＶ以下でない場合（Ｓ２１：ＮＯ）、全ての電圧値が異なるので、独立状態であると判定され、独立状態である旨の信号がＰＷＭ信号生成部９２に出力される（Ｓ２３）。
【００５７】
なお、電圧値Ｖ１，Ｖ２，Ｖ３の比較方法はこれに限られず、他の方法で比較して判定してもよい。
【００５８】
図７は、他の判定方法を説明するためのフローチャートである。当該判定方法は、図６のフローチャートに示す判定方法を簡略化したものである。同図に示すフローチャートは、図６に示すフローチャートから、ステップＳ１４、Ｓ１６、Ｓ１９を除いたものである。
【００５９】
同図に示すフローチャートにおいては、ステップＳ１３で、電圧値Ｖ２と電圧値Ｖ３との差が所定の電圧値ΔＶ以下である場合（Ｓ１３：ＹＥＳ）、ステップＳ１５に進んでいる。これは、電圧値Ｖ１と電圧値Ｖ２とが同電圧であり電圧値Ｖ２と電圧値Ｖ３とが同電圧であれば、電圧値Ｖ３と電圧値Ｖ１とを比較するまでもなく、並列状態であると推定できるからである。また、ステップＳ１３で、電圧値Ｖ２と電圧値Ｖ３との差が所定の電圧値ΔＶ以下でない場合（Ｓ１３：ＮＯ）、ステップＳ１７に進んでいる。これは、電圧値Ｖ１と電圧値Ｖ２とが同電圧であり電圧値Ｖ２と電圧値Ｖ３とが異なれば、電圧値Ｖ３と電圧値Ｖ１とは、比較するまでもなく、異なると推定できるからである。同様に、ステップＳ１８で、電圧値Ｖ２と電圧値Ｖ３との差が所定の電圧値ΔＶ以下である場合（Ｓ１８：ＹＥＳ）、電圧値Ｖ３と電圧値Ｖ１とは異なると推定できるので、ステップＳ１９に進んでいる。
【００６０】
本実施形態における制御装置９のＰＷＭ信号生成部９２は、電圧比較部９１から入力される判定信号に基づくＰＷＭ信号Ｐ１，Ｐ２，Ｐ３の生成において、第１実施形態と異なる。なお、判定信号が並列状態を示す信号（図６におけるステップＳ１５参照）である場合、および、独立状態を示す信号（図６におけるステップＳ２３参照）である場合は、第１実施形態と同様となるので省略する。
【００６１】
判定信号が、太陽電池モジュール２１と太陽電池モジュール２２とが並列接続された状態である旨の信号（図６におけるステップＳ１７参照）である場合、ＰＷＭ信号生成部９２は、ＤＣ/ＤＣコンバータ４１，４２に出力する共通のＰＷＭ信号Ｐと、ＤＣ/ＤＣコンバータ４３に出力するＰＷＭ信号Ｐ３とを生成する。ＰＷＭ信号Ｐは、太陽電池モジュール２１と２２とが並列接続された太陽電池モジュール群の出力電力値ＰＷ12を最大とするように制御するためのＰＷＭ信号である。当該太陽電池モジュール群の出力電力値ＰＷ12は、電圧センサ８１より入力される電圧値Ｖ１および電流センサ７１，７２より入力される電流値Ｉ１，Ｉ２の合計電流値Ｉ（＝Ｉ１＋Ｉ２）から算出され、ＰＷ12＝Ｖ１×（Ｉ１＋Ｉ２）である。ＰＷＭ信号生成部９２は、ＰＷＭ信号ＰをＰＷＭ信号Ｐ１，Ｐ２として、それぞれＤＣ/ＤＣコンバータ４１，４２に出力する。また、ＰＷＭ信号Ｐ３は、電圧センサ８３より入力される電圧値Ｖ３および電流センサ７３より入力される電流値Ｉ３から算出された太陽電池モジュール２３の出力電力値ＰＷ３（＝Ｖ３×Ｉ３）を最大とするように制御するためのＰＷＭ信号である。ＰＷＭ信号生成部９２は、ＰＷＭ信号Ｐ３をＤＣ/ＤＣコンバータ４３に出力する。
【００６２】
判定信号が、太陽電池モジュール２２と太陽電池モジュール２３とが並列接続された状態である旨の信号（図６におけるステップＳ２０参照）である場合、ＰＷＭ信号生成部９２は、ＤＣ/ＤＣコンバータ４２，４３に出力する共通のＰＷＭ信号Ｐと、ＤＣ/ＤＣコンバータ４１に出力するＰＷＭ信号Ｐ１とを生成する。ＰＷＭ信号Ｐは、太陽電池モジュール２２と２３とが並列接続された太陽電池モジュール群の出力電力値ＰＷ23を最大とするように制御するためのＰＷＭ信号である。当該太陽電池モジュール群の出力電力値ＰＷ23は、電圧値Ｖ２および電流値Ｉ２，Ｉ３の合計電流値Ｉ（＝Ｉ２＋Ｉ３）から算出され、ＰＷ23＝Ｖ２×（Ｉ２＋Ｉ３）である。ＰＷＭ信号生成部９２は、ＰＷＭ信号ＰをＰＷＭ信号Ｐ２，Ｐ３として、それぞれＤＣ/ＤＣコンバータ４２，４３に出力する。また、ＰＷＭ信号Ｐ１は、電圧値Ｖ１および電流値Ｉ１から算出された太陽電池モジュール２１の出力電力値ＰＷ１（＝Ｖ１×Ｉ１）を最大とするように制御するためのＰＷＭ信号である。ＰＷＭ信号生成部９２は、ＰＷＭ信号Ｐ１をＤＣ/ＤＣコンバータ４１に出力する。
【００６３】
判定信号が、太陽電池モジュール２３と太陽電池モジュール２１とが並列接続された状態である旨の信号（図６におけるステップＳ２２参照）である場合、ＰＷＭ信号生成部９２は、ＤＣ/ＤＣコンバータ４３，４１に出力する共通のＰＷＭ信号Ｐと、ＤＣ/ＤＣコンバータ４２に出力するＰＷＭ信号Ｐ２とを生成する。ＰＷＭ信号Ｐは、太陽電池モジュール２３と２１とが並列接続された太陽電池モジュール群の出力電力値ＰＷ31を最大とするように制御するためのＰＷＭ信号である。当該太陽電池モジュール群の出力電力値ＰＷ31は、電圧値Ｖ３および電流値Ｉ３，Ｉ１の合計電流値Ｉ（＝Ｉ３＋Ｉ１）から算出され、ＰＷ31＝Ｖ３×（Ｉ３＋Ｉ１）である。ＰＷＭ信号生成部９２は、ＰＷＭ信号ＰをＰＷＭ信号Ｐ３，Ｐ１として、それぞれＤＣ/ＤＣコンバータ４３，４１に出力する。また、ＰＷＭ信号Ｐ２は、電圧値Ｖ２および電流値Ｉ２から算出された太陽電池モジュール２２の出力電力値ＰＷ２（＝Ｖ２×Ｉ２）を最大とするように制御するためのＰＷＭ信号である。ＰＷＭ信号生成部９２は、ＰＷＭ信号Ｐ２をＤＣ/ＤＣコンバータ４２に出力する。
【００６４】
本実施形態においては、接続装置３’によって、太陽電池モジュール２１，２２，２３の接続状態を様々な状態に容易に切り替えることができる。したがって、太陽電池モジュール２１，２２，２３を設置した後に一部の太陽電池モジュールへの日射状況が変化した場合や、一部を性能の異なる太陽電池モジュールで構成したモジュール群に変更する場合でも、並列接続状態を切り替えることにより対応することができる。
【００６５】
また、本実施形態においては、制御装置９が電圧センサ８１，８２，８３から入力される電圧値Ｖ１，Ｖ２，Ｖ３に基づいて太陽電池モジュール２１，２２，２３の接続状態を判定し、対応したＰＷＭ信号を生成して出力する。したがって、接続装置３’を切り替えたときにＰＷＭ信号の生成方法を切り替える必要が無い。もともとＰＷＭ信号を生成するために入力されている各ＤＣ／ＤＣコンバータ４１，４２，４３の入力電圧を利用して、演算処理のみで接続状態を判定するので、従来の制御装置のハード構成を変更することなく用いることができる。
【００６６】
なお、上記実施形態においては、並列接続された太陽電池モジュールの出力電力を制御するためのＰＷＭ信号を、各ＤＣ/ＤＣコンバータに入力される電流値を合算した電流値に基づいて生成していたが、いずれかのＤＣ/ＤＣコンバータに入力される電流値に基づいて生成するようにしてもよい。各ＤＣ/ＤＣコンバータは共通のＰＷＭ信号で制御されるので、各ＤＣ/ＤＣコンバータに入力される電流値は太陽電池モジュール群の出力電流値に比例するからである。
【００６７】
また、上記実施形態においては、並列接続された各太陽電池モジュールに接続されたＤＣ/ＤＣコンバータに同一のＰＷＭ信号Ｐを出力しているが、これに限られない。例えば、各ＤＣ/ＤＣコンバータに入力される電流に偏りが無いようにバランス制御するために、入力される電流の差に基づいて、ＰＷＭ信号Ｐに変更を加えたＰＷＭ信号を出力するようにしてもよい。
【００６８】
また、上記実施形態においては、太陽電池モジュールが３つの場合について説明したが、これに限られない。本発明は、太陽電池モジュールが２つの場合でも、４つ以上の場合でも適用することができる。
【００６９】
また、上記実施形態においては、太陽電池モジュールを設置した後に日射状況の変化が生じた場合に、人為的に接続装置を切り替える場合について説明したがこれに限られない。例えば、時刻に伴う日射強度の変化に応じて太陽電池モジュールの接続状態を変更する場合は、日射強度計の検出値やタイマーに基づいて接続状態を切り替えるようにしてもよい。
【００７０】
また、上記実施形態においては、電源装置が太陽電池モジュールの場合について説明したが、これに限られない。例えば、電源装置が燃料電池であってもよいし、風力発電装置、水車などの水力発電装置、地熱発電装置、波力発電装置などにより発電された交流電力を直流電力に変換して出力する装置であってもよい。自然条件などの人為的に変更することができない条件により発電量が変動する電源装置において、本発明は特に有効である。
【００７１】
本発明に係るコンバータ制御装置および系統連系インバータシステムは、上述した実施形態に限定されるものではない。本発明に係るコンバータ制御装置および系統連系インバータシステムの各部の具体的な構成は、種々に設計変更自在である。
【符号の説明】
【００７２】
１  系統連系インバータシステム
２１，２２，２３  太陽電池モジュール（電源装置）
３  接続装置
４１，４２，４３  ＤＣ／ＤＣコンバータ
５  インバータ
６  商用電力系統
７１，７２，７３  電流センサ
８１，８２，８３  電圧センサ
９  制御装置（コンバータ制御装置）
９１  電圧比較部（判別手段、判定手段）
９２  ＰＷＭ信号生成部（ＰＷＭ信号出力手段）
【図１】
2010238010.tif 000003
【図２】
2010238010.tif 000004
【図３】
2010238010.tif 000005
【図４】
2010238010.tif 000006
【図５】
2010238010.tif 000007
【図６】
2010238010.tif 000008
【図７】
2010238010.tif 000009
【図８】
2010238010.tif 000010